(57)【要約】【課題】効率的なバンド割り当てを可能とすること。【解決手段】単一の通信に複数の単位バンドを割り当て可能な基地局２００において、データ受信部２６０が、初期アクセス単位バンドで端末１００が送信してきた端末能力情報を取得し、その端末能力情報が示す通信可能帯域幅が単位バンドを複数収容できるときに、端末１００に対して、初期アクセス単位バンドの他に当該初期アクセス単位バンドの隣接単位バンドを含む単位バンド群を割り当てると共に、当該単位バンド群における中心周波数への端末１００の通信帯域における中心周波数の移動を指示する通信帯域移動指示を、初期アクセス単位バンドを用いて端末１００に送信する。【選択図】図６
2014168314.tif 000002
【特許請求の範囲】
【請求項１】
第一のコンポーネントキャリアと前記第一のコンポーネントキャリアに追加される第二のコンポーネントキャリアとを端末に割り当てる制御部と、
前記第一のコンポーネントキャリアと前記第二のコンポーネントキャリアとで構成された通信帯域の基準周波数に関する第１の情報と、前記第二のコンポーネントキャリアにおいてコントロールチャネルを受信するための第２の情報とを含む情報を、前記端末にＰＤＳＣＨで送信する送信部と、
を具備する通信装置。
【請求項２】
前記第２の情報は、下り回線周波数帯域幅、アンテナ数、上り回線データ信号に対する応答信号の送信に用いられるリソース数に関する情報を含む、
請求項１に記載の通信装置。
【請求項３】
前記第一のコンポーネントキャリアでの下り回線データ信号の送信は、前記第１の情報に基づいた前記基準周波数の設定の前から行われる、
請求項１又は２に記載の通信装置。
【請求項４】
前記送信部は、前記第一のコンポーネントキャリアにおいて、前記第１の情報と前記第２の情報とを送信する、
請求項１から３のいずれかに記載の通信装置。
【請求項５】
前記送信部は、前記第１の情報と前記第２の情報とを含むメッセージ信号を送信する、
請求項１から４のいずれかに記載の通信装置。
【請求項６】
前記第一のコンポーネントキャリアは、前記基準周波数が設定される前に、前記端末との通信に用いられたコンポーネントキャリアである、
請求項１から５のいずれかに記載の通信装置。
【請求項７】
前記基準周波数は、前記第一のコンポーネントキャリア及び前記第二のコンポーネントキャリアそれぞれの中心周波数に関する、
請求項１から６のいずれかに記載の通信装置。
【請求項８】
第一のコンポーネントキャリアと前記第一のコンポーネントキャリアに追加される第二のコンポーネントキャリアとを端末に割り当てる制御工程と、
前記第一のコンポーネントキャリアと前記第二のコンポーネントキャリアとで構成された通信帯域の基準周波数に関する第１の情報と、前記第二のコンポーネントキャリアにおいてコントロールチャネルを受信するための第２の情報とを含む情報を、前記端末にＰＤＳＣＨで送信する送信工程と、
を含む通信方法。
【請求項９】
前記第２の情報は、下り回線周波数帯域幅、アンテナ数、上り回線データ信号に対する応答信号の送信に用いられるリソースに関する情報を含む、
請求項８に記載の通信方法。
【請求項１０】
前記第一のコンポーネントキャリアでの下り回線データ信号の送信は、前記第１の情報に基づいた前記基準周波数の設定の前から行われる、
請求項８又は９に記載の通信方法。
【請求項１１】
前記送信工程は、前記第一のコンポーネントキャリアにおいて、前記第１の情報と前記第２の情報とを送信する、
請求項８から１０のいずれかに記載の通信方法。
【請求項１２】
前記送信工程は、前記第１の情報と前記第２の情報とを含むメッセージ信号を送信する、
請求項８から１１のいずれかに記載の通信方法。
【請求項１３】
前記第一のコンポーネントキャリアは、前記基準周波数が設定される前に、前記端末との通信に用いられたコンポーネントキャリアである、
請求項８から１２のいずれかに記載の通信方法。
【請求項１４】
前記基準周波数は、前記第一のコンポーネントキャリア及び前記第二のコンポーネントキャリアそれぞれの中心周波数に関する、
請求項８から１３のいずれかに記載の通信方法。
【請求項１５】
第一のコンポーネントキャリアと前記第一のコンポーネントキャリアに追加される第二のコンポーネントキャリアとを端末に割り当てる処理と、
前記第一のコンポーネントキャリアと前記第二のコンポーネントキャリアとで構成された通信帯域の基準周波数に関する第１の情報と、前記第二のコンポーネントキャリアにおいてコントロールチャネルを受信するための第２の情報とを含む情報を、前記端末にＰＤＳＣＨで送信する処理と、
を制御する集積回路。
【発明の詳細な説明】
【技術分野】
【０００１】
本開示は、通信装置、通信方法及び集積回路に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、無線通信基地局装置（以下、単に「基地局」と呼ばれることがある）が予め定められた通信リソースを用いて同期信号(Synchronization Channel：ＳＣＨ)及び報知信号（Broadcast Channel：ＢＣＨ）を送信する。そして、無線通信端末装置（以下、単に「端末」と呼ばれることがある）は、まず、ＳＣＨを捕まえることによって基地局との同期を確保する。すなわち、端末は、まずセルサーチを行う。その後、端末は、ＢＣＨ情報を読むことにより基地局独自のパラメータ(例えば、周波数帯域幅など)を取得する（非特許文献１、２、３参照）。
【０００３】
また、３ＧＰＰ  ＬＴＥよりも更なる通信の高速化を実現する３ＧＰＰ  ＬＴＥ−ａｄｖａｎｃｅｄの標準化が開始された。３ＧＰＰ  ＬＴＥ−ａｄｖａｎｃｅｄシステム（以下、「ＬＴＥ＋システム」と呼ばれることがある）は、３ＧＰＰ  ＬＴＥシステム（以下、「ＬＴＥシステム」と呼ばれることがある）を踏襲する。３ＧＰＰ  ＬＴＥ−ａｄｖａｎｃｅｄでは、最大１Ｇｂｐｓ以上の下り伝送速度を実現するために、２０ＭＨｚ以上の広帯域周波数で通信可能な基地局及び端末が導入される見込みである。ただし、端末の不必要な複雑化を防ぐため、端末側には、周波数帯域のサポートに関する端末能力（Capability）が規定される見込みである。その端末能力では、例えば、サポート帯域幅の最低値が２０ＭＨｚであること等が規定される。
【０００４】
すなわち、ＬＴＥ＋システム対応の基地局（以下、「ＬＴＥ＋基地局」と呼ばれることがある）は、複数の「単位バンド」を含む周波数帯で通信できるように構成されている。「単位バンド」は、ここでは、２０ＭＨｚの幅を持ち、中心付近にＳＣＨ(Synchronization Channel)を含む帯域であって、通信帯域の基本単位として定義される。また、「単位バンド」は、３ＧＰＰ  ＬＴＥにおいて、英語でＣｏｍｐｏｎｅｎｔ  Ｃａｒｒｉｅｒ（ｓ）と表記されることがある。
【０００５】
また、ＬＴＥ＋システム対応の端末（以下、「ＬＴＥ＋端末」と呼ばれることがある）には、通信可能帯域幅が単位バンドを１つだけ収容可能な端末（以下、「第１種ＬＴＥ＋端末」とよばれることがある）と、通信可能帯域幅が単位バンドを複数収容可能な端末（以下「第２種ＬＴＥ＋端末」と呼ばれることがある）とが含まれる。  
【先行技術文献】
【非特許文献】
【０００６】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【発明の概要】
【発明が解決しようとする課題】
【０００７】
ここで、ＬＴＥ＋基地局がＬＴＥ＋端末をサポートする場合について考える。図１は、ＬＴＥ＋システム対応基地局における、ＳＣＨ及びＢＣＨのマッピング例を示す図である。
【０００８】
図１において、ＬＴＥ＋基地局の通信帯域幅は４０ＭＨｚであり、単位バンドを２つ含んでいる。そして、ＳＣＨ及びＢＣＨが２０ＭＨｚ間隔で且つ各単位バンドの中心周波数近傍に配置されている。ただし、ＳＣＨ及びＢＣＨが配置される周波数帯域の中心には、端末のＤＣ  Ｏｆｆｓｅｔ補償のためにヌルキャリア（Ｎｕｌｌ  Ｃａｒｒｉｅｒ）が挿入されている。そして、そのヌルキャリアを中心に、周波数に関して上下それぞれの３６個のサブキャリア（つまり、合計７２個のサブキャリア）にＳＣＨ及びＢＣＨが配置されている。また、下り制御チャネル(Physical Downlink Control Channel：ＰＤＣＣＨ)は、単位バンド全体に分散して配置される。
【０００９】
ＬＴＥ＋端末は、上記したＬＴＥシステムの場合と同様に、電源が入ると、まず、通信帯域の中心周波数を移動させながら、相関同期処理を行うことによりＬＴＥ＋基地局から送信されたＳＣＨの補足を試みる。相関結果におけるピーク検出によってＬＴＥ＋基地局から送信されたＳＣＨを補足できると、ＬＴＥ＋端末は、ＬＴＥ＋基地局から送信されたＢＣＨを捕まえて上りペアバンドの周波数帯を解読する。そして、ＬＴＥ＋端末は、ＰＲＡＣＨ(Physical Random Access Channel)で信号を送信することにより、ＬＴＥ＋基地局との通信を開始する。なお、端末が基地局との間で同期をとった単位バンドは、「初期アクセス単位バンド」と呼ばれることがある。
【００１０】
図２は、図１で示されたマッピング方法によってＳＣＨ及びＢＣＨを送信するＬＴＥ＋基地局に対する、４０ＭＨｚの通信帯域幅で通信可能なＬＴＥ＋端末（つまり、第２種ＬＴＥ＋端末）の接続状況の説明に供する図である。
【００１１】
図２に示すように、第２種ＬＴＥ＋端末は、初期アクセス単位バンドにおけるＳＣＨの周波数位置に自機の中心周波数を合わせて、ＬＴＥ＋基地局から送信されたデータ信号を受信している。従って、第２種ＬＴＥ＋端末は、４０ＭＨｚの連続帯域でデータ信号の受信が可能であるにも関わらず、初期アクセス単位バンドの隣接単位バンドの全体をカバーできない。すなわち、実質、初期アクセス単位バンドでしか通信されず、ＬＴＥ＋端末の能力が活かされていない。従って、ＬＴＥ＋基地局が、第２種ＬＴＥ＋端末に対してバンドを効率的に割り当てることができない問題がある。
【００１２】
図３は、ＬＴＥ＋システム対応基地局における、ＳＣＨ及びＢＣＨの他のマッピング例を示す図である。
【００１３】
図３において、ＬＴＥ＋基地局の通信帯域幅は４０ＭＨｚであり、単位バンドを２つ含んでいる。そして、ＳＣＨ及びＢＣＨが通信帯域の中心周波数近傍に配置されている。
【００１４】
図３のマッピング方法によれば、ＬＴＥ＋端末は、ＳＣＨの周波数位置に自機の中心周波数を合わせることにより、ＬＴＥ＋基地局の通信帯域の全体を自機の通信帯域でカバーすることができる。
【００１５】
しかしながら、図３のマッピング方法では、両端の１０ＭＨｚにＳＣＨ及びＢＣＨがマッピングされていないため、２０ＭＨｚの端末能力しか持たないＬＴＥ＋端末（つまり、第１種ＬＴＥ＋端末）は、その両端の１０ＭＨｚの帯域を使用することできない。すなわち、図３のマッピング方法では、周波数の無駄が生じる。従って、ＬＴＥ＋基地局が、第１種ＬＴＥ＋端末に対してバンドを効率的に割り当てることができない問題がある。
【００１６】
図４は、ＬＴＥ＋システム対応基地局における、ＳＣＨ及びＢＣＨの他のマッピング例を示す図である。
【００１７】
図４において、ＬＴＥ＋基地局の通信帯域幅は４０ＭＨｚであり、単位バンドを２つ含んでいる。そして、ＳＣＨ及びＢＣＨが通信帯域の中心周波数近傍に配置されると共に、両端１０ＭＨｚ幅の帯域の中心周波数近傍にもＳＣＨ及びＢＣＨがそれぞれ配置されている。
【００１８】
図４のマッピング方法によれば、第１種ＬＴＥ＋端末も、両端１０ＭＨｚ幅の帯域を使用することができる。しかしながら、第２種ＬＴＥ＋端末が、両端１０ＭＨｚの帯域を初期アクセス単位バンドとした場合には、図２に示したマッピング方法の場合よりもさらに少ない帯域でしか通信を行うことができない。すなわち、図４のマッピング方法によれば、ＬＴＥ＋基地局が、第２種ＬＴＥ＋端末に対してバンドを効率的に割り当てることができない問題がある。
【００１９】
本開示の一態様は、効率的なバンド割り当てを可能とする、通信装置、通信方法及び集積回路を提供することである。
【課題を解決するための手段】
【００２０】
本発明の一態様に係る端末装置は、第一単位バンドと前記第一単位バンドに追加される第二単位バンドで構成された通信帯域の基準周波数に関する指示情報と、前記第二単位バンドの特定に用いられる特定情報とを受信する受信部と、前記指示情報に基づいて前記通信帯域の基準周波数を設定し、前記特定情報に基づいて前記第二単位バンドにおけるコントロールチャネルを取得する制御部と、を具備する構成を採る。
【００２１】
本発明の一態様に係る受信方法は、第一単位バンドと前記第一単位バンドに追加される第二単位バンドで構成された通信帯域の基準周波数に関する指示情報と、前記第二単位バンドの特定に用いられる特定情報とを受信する受信工程と、前記指示情報に基づいて前記通信帯域の基準周波数を設定し、前記特定情報に基づいて前記第二単位バンドにおけるコントロールチャネルを取得する制御工程と、を具備する。
【発明の効果】
【００２２】
本発明によれば、効率的なバンド割り当てを可能とすることができる。
【図面の簡単な説明】
【００２３】
【図１】ＬＴＥ＋システム対応基地局における、ＳＣＨ及びＢＣＨのマッピング例を示す図
【図２】図１で示されたマッピング方法によってＳＣＨ及びＢＣＨを送信するＬＴＥ＋基地局に対する、４０ＭＨｚの通信帯域幅で通信可能なＬＴＥ＋端末の接続状況の説明に供する図
【図３】ＬＴＥ＋システム対応基地局における、ＳＣＨ及びＢＣＨの他のマッピング例を示す図
【図４】ＬＴＥ＋システム対応基地局における、ＳＣＨ及びＢＣＨの他のマッピング例を示す図
【図５】本発明の実施の形態１に係る端末の構成を示すブロック図
【図６】本発明の実施の形態１に係る基地局の構成を示すブロック図
【図７】本発明の実施の形態１に係る端末と基地局との間の信号送受信を示すシーケンス図
【図８】本発明の実施の形態１に係る端末によって実行される通信帯域移動の説明に供する図
【図９】本発明の実施の形態２に係る端末の構成を示すブロック図
【図１０】本発明の実施の形態２に係る基地局の構成を示すブロック図
【図１１】本発明の実施の形態２に係る端末と基地局との間の信号送受信を示すシーケンス図
【図１２】ＲＢ形成の説明に供する図
【発明を実施するための形態】
【００２４】
以下、本発明の実施の形態について図面を参照して詳細に説明する。なお、実施の形態において、同一の構成要素には同一の符号を付し、その説明は重複するので省略する。
【００２５】
（実施の形態１）
［端末の構成］
図５は、本発明の実施の形態１に係る端末１００の構成を示すブロック図である。端末１００は、通信可能帯域幅が単位バンドを複数収容可能なＬＴＥ＋端末である。図５において、端末１００は、受信ＲＦ部１０５と、ＯＦＤＭ信号復調部１１０と、フレーム同期部１１５と、分離部１２０と、報知情報受信部１２５と、ＰＤＣＣＨ受信部１３０と、ＰＤＳＣＨ（Physical Downlink Shared Channel）受信部１３５と、制御部１４０と、ＲＡＣＨ（Random Access Channel）プリアンブル部１４５と、変調部１５０と、ＳＣ−ＦＤＭＡ(Single-Carrier Frequency Division Multiple Access）信号形成部１５５と、送信ＲＦ部１６０とを有する。
【００２６】
受信ＲＦ部１０５は、受信帯域を変更可能に構成されている。受信ＲＦ部１０５は、制御部１４０から中心周波数指示を受け取り、当該中心周波数指示に基づいて中心周波数を移動することにより、受信帯域を移動する。受信ＲＦ部１０５は、アンテナを介して受信帯域で受信した受信無線信号に対して受信無線処理（ダウンコンバート、アナログディジタル（Ａ／Ｄ）変換など）を施し、得られた受信信号をＯＦＤＭ信号復調部１１０に出力する。なお、ここでは、受信帯域の中心周波数を基準周波数としているが、受信帯域に含まれる任意の周波数を基準周波数とすることができる。
【００２７】
ＯＦＤＭ信号復調部１１０は、ＣＰ（Cyclic Prefix）除去部１１１と、高速フーリエ変換（ＦＦＴ）部１１２とを有する。ＯＦＤＭ信号復調部１１０は、受信ＲＦ部１０５から受信ＯＦＤＭ信号を受け取る。ＯＦＤＭ信号復調部１１０において、ＣＰ除去部１１１が受信ＯＦＤＭ信号からＣＰを除去し、ＦＦＴ部１１２がＣＰ除去後の受信ＯＦＤＭ信号を周波数領域信号にそれぞれ変換する。この周波数領域信号は、フレーム同期部１１５に出力される。
【００２８】
フレーム同期部１１５は、ＯＦＤＭ信号復調部１１０から受け取る信号に含まれる、同期信号（ＳＣＨ）をサーチすると共に、後述する基地局２００との同期をとる。見つけられた同期信号（ＳＣＨ）が含まれる単位バンドが、初期アクセス単位バンドとなる。同期信号には、Ｐ−ＳＣＨ(Primary SCH)とＳ−ＳＣＨ(Secondary SCH)とが含まれる。具体的には、フレーム同期部１１５は、Ｐ−ＳＣＨをサーチすると共に、後述する基地局２００との同期をとる。
【００２９】
フレーム同期部１１５は、Ｐ−ＳＣＨを見つけた後に、Ｐ−ＳＣＨの配置リソースと所定の関係を有するリソースに配置されたＳ−ＳＣＨをブラインド判定する。これにより、より精密な同期がとられると共に、Ｓ−ＳＣＨ系列と対応付けられたセルＩＤが取得される。すなわち、フレーム同期部１１５では、通常のセルサーチと同様の処理が行われる。
【００３０】
フレーム同期部１１５は、確立同期タイミングに係るフレーム同期タイミング情報を分離部１２０に出力する。
【００３１】
分離部１２０は、ＯＦＤＭ信号復調部１１０から受け取る受信信号を、これに含まれる報知信号と制御信号（つまり、ＰＤＣＣＨ信号）とデータ信号（つまり、ＰＤＳＣＨ信号）とに、フレーム同期タイミング情報に基づいて分離する。報知信号は報知情報受信部１２５に出力され、ＰＤＣＣＨ信号はＰＤＣＣＨ受信部１３０に出力され、ＰＤＳＣＨ信号はＰＤＳＣＨ受信部１３５に出力される。ここで、ＰＤＳＣＨには、或る端末に向けた個別情報が含まれる。
【００３２】
報知情報受信部１２５は、入力されたＰ−ＢＣＨ(Primary BCH)の内容を読み取り、後述する基地局２００のアンテナ本数、及び、下りシステム帯域幅に関する情報を取得する。この情報は、制御部１４０に出力される。
【００３３】
報知情報受信部１２５は、ＰＤＣＣＨ信号に含まれＰＤＣＣＨ受信部１３０で抽出されたＤ−ＢＣＨ(Dynamic BCH)リソース位置情報（ここでは、Ｄ−ＢＣＨ周波数位置情報）が示すリソースに配置されたＤ−ＢＣＨ信号を受信すると共に、当該受信Ｄ−ＢＣＨ信号に含まれる情報（例えば、上りペアバンドの周波数及び周波数帯域、又は、ＰＲＡＣＨ(Physical Random Access Channel)等の情報）を取得する。この情報は、制御部１４０に出力される。なお、本明細書では、リソースとして周波数を例にとり説明する。
【００３４】
ＰＤＣＣＨ受信部１３０は、制御部１４０からの復号指示に基づいて、分離部１２０から受け取るＰＤＣＣＨ信号に含まれる情報（Ｄ−ＢＣＨが配置される周波数位置と、ＰＤＳＣＨが配置される周波数位置と、上り周波数割り当て情報（ここでは、ＰＵＳＣＨ周波数位置情報）とが含まれる）を抽出する。この抽出情報のうちＤ−ＢＣＨが配置される周波数位置情報は報知情報受信部１２５に出力され、ＰＤＳＣＨが配置される周波数位置情報はＰＤＳＣＨ受信部１３５に出力され、上り周波数割り当て情報はＳＣ−ＦＤＭＡ信号形成部１５５に出力される。
【００３５】
ＰＤＳＣＨ受信部１３５は、ＰＤＣＣＨ受信部１３０から受け取る、ＰＤＳＣＨの配置される周波数位置情報に基づいて、分離部１２０から受け取るＰＤＳＣＨ信号から通信帯域移動指示を抽出する。そして、抽出された通信帯域移動指示は、制御部１４０に出力される。
【００３６】
ここで、通信帯域移動指示は、端末１００に対して後述する基地局２００により割り当てられた単位バンド群（以下、「割り当て単位バンド群」と呼ばれることがある）全体における中心周波数への端末１００の通信帯域における中心周波数の移動指示である。ただし、端末１００の受信ＲＦ部１０５が合わせるべき、割り当て単位バンド群全体の中心周波数は、通信帯域移動指示に必要なシグナリング量を削減するために、下りサブキャリアの帯域幅(１５ＫＨｚ)と、端末１００の受信ＲＦ部１０５が設定できる周波数の最小解像度(１００ＫＨｚ)の最小公倍数である３００ＫＨｚの倍数として通知される。なぜなら、ＬＴＥ＋基地局が１つのＩＦＦＴ回路を用いて複数のＳＣＨを送信する場合には、ＳＣＨの間隔は、１５ＫＨｚの整数倍にしかなり得ず、さらに、端末側でいずれのＳＣＨにも受信帯域の中心周波数を合わせるためには、１００ＫＨｚの倍数でもなければならないからである。
【００３７】
制御部１４０は、同期の確立前に、受信ＲＦ部１０５の受信帯域を順次変更する。また、制御部１４０は、同期の確立後で且つＲＡＣＨプリアンブルの送信前に、後述する基地局２００から同期チャネルの周波数位置を含む初期アクセス単位バンドで送信される、報知信号（Ｐ−ＢＣＨ）、コントロールチャネル（ＰＤＣＣＨ）、及び動的報知信号（Ｄ−ＢＣＨ）に基づいて初期アクセス単位バンドにおけるＲＡＣＨプリアンブルの送信を準備する。また、制御部１４０は、初期アクセス単位バンドにおけるＲＡＣＨプリアンブルの送信後に、後述する基地局２００からコントロールチャネルによって通知された報告リソース割り当て情報を取得し、当該報告リソース割り当て情報の示すリソースを用いて自機の端末能力情報を基地局２００に送信する。この段階で初期アクセス単位バンドにおける基地局２００と端末１００とのデータ通信が可能となる。そして、制御部１４０は、基地局２００により端末能力情報に応じて送信された通信帯域移動指示を取得し、まず、下りデータ通信を切断し、その後に、通信帯域移動指示に基づいて、端末１００の通信帯域における中心周波数を、割り当て単位バンド群全体における中心周波数へ移動する。
【００３８】
また、制御部１４０は、初期アクセス単位バンドにおける下りデータ通信の切断後に、割り当て単位バンド群のうち初期アクセス単位バンドを除く単位バンド（以下、「追加割り当て単位バンド」と呼ばれることがある）で送信される、報知信号、コントロールチャネル、及びＬＴＥ動的報知信号に基づいて追加割り当て単位バンドにおけるＲＡＣＨプリアンブルの送信を準備する。また、制御部１４０は、追加割り当て単位バンドにおけるＲＡＣＨプリアンブル送信の準備が完了すると、まず、端末１００と後述する基地局２００との間の上り通信を切断し、その後に、追加割り当て単位バンドでＲＡＣＨプリアンブルを送信する。また、制御部１４０は、追加割り当て単位バンドにおけるＲＡＣＨプリアンブルの送信後に、基地局２００からコントロールチャネルによって通知された報告リソース割り当て情報を取得し、当該報告リソース割り当て情報の示すリソースを用いて、基地局２００により割り当てられた単位バンド群全体での通信開始要求（Ａｇｇｒｅｇａｔｉｏｎ通信開始要求）を基地局２００に送信する。
【００３９】
具体的には、制御部１４０は、報知情報受信部１２５で取得された情報に基づいて、ＰＤＣＣＨの配置情報を特定する。このＰＤＣＣＨの配置情報は、後述する基地局２００のアンテナ本数、及び、下りシステム帯域幅によって一意に定まる。制御部１４０は、ＰＤＣＣＨの配置情報をＰＤＣＣＨ受信部１３０に出力し、その情報に応じた周波数位置に配置された信号の復号を指示する。
【００４０】
また、制御部１４０は、報知情報受信部１２５から受け取る受信Ｄ−ＢＣＨ信号に含まれる情報、つまり、上り周波数帯及びＰＲＡＣＨの周波数位置によってＲＡＣＨプリアンブルを送信するように、ＲＡＣＨプリアンブル部１４５に対して指示する。
【００４１】
また、制御部１４０は、ＰＤＣＣＨ受信部１３０から上り周波数割り当て情報を受け取ると、自機の端末能力情報（つまり、Ｃａｐａｂｉｌｉｔｙ情報）を変調部１５０に出力すると共に、上り周波数割り当て情報をＳＣ−ＦＤＭＡ信号形成部１５５に出力する。これにより、端末能力情報が上り周波数割り当て情報に対応する周波数にマッピングされて送信される。
【００４２】
また、制御部１４０は、ＰＤＳＣＨ受信部１３５から受け取る通信帯域移動指示に基づいて、受信ＲＦ部１０５の受信帯域の中心周波数が割り当て単位バンド群全体における中心周波数と一致するように中心周波数指示を受信ＲＦ部１０５に出力する。ここで、制御部１４０は、この通信帯域移動指示に基づいて受信帯域の移動制御を行った場合には、下りデータ通信を切断する。
【００４３】
ＲＡＣＨプリアンブル部１４５は、制御部１４０からの指示に応じてＲＡＣＨプリアンブル系列と共に、その指示に含まれる上り周波数帯及びＰＲＡＣＨの周波数位置に関する情報をＳＣ−ＦＤＭＡ信号形成部１５５に出力する。
【００４４】
変調部１５０は、制御部１４０から受け取る端末能力情報を変調し、得られた変調信号をＳＣ−ＦＤＭＡ信号形成部１５５に出力する。
【００４５】
ＳＣ−ＦＤＭＡ信号形成部１５５は、変調部１５０から受け取る変調信号及びＲＡＣＨプリアンブル部１４５から受け取るＲＡＣＨプリアンブル系列からＳＣ−ＦＤＭＡ信号を形成する。ＳＣ−ＦＤＭＡ信号形成部１５５において、離散フーリエ変換（ＤＦＴ）部１５６は、入力変調信号を周波数軸上に変換し、得られた複数の周波数成分を周波数マッピング部１５７に出力する。この複数の周波数成分は、周波数マッピング部１５７にて上り周波数割り当て情報に応じた周波数にマッピングされ、ＩＦＦＴ部１５８によって時間軸波形にされる。ＲＡＣＨプリアンブル系列も、周波数マッピング部１５７にて上り周波数割り当て情報に応じた周波数にマッピングされ、ＩＦＦＴ部１５８によって時間軸波形にされる。ＣＰ付加部１５９において、その時間軸波形にＣＰが付加されてＳＣ−ＦＤＭＡ信号が得られる。
【００４６】
送信ＲＦ部１６０は、ＳＣ−ＦＤＭＡ信号形成部１５５で形成されたＳＣ−ＦＤＭＡ信号に送信無線処理を施してアンテナを介して送信する。
【００４７】
［基地局の構成］
図６は、本発明の実施の形態１に係る基地局２００の構成を示すブロック図である。基地局２００は、ＬＴＥ＋基地局である。基地局２００は、各単位バンドにおいて、常に、Ｐ−ＳＣＨ、Ｓ−ＳＣＨ、Ｐ−ＢＣＨ、Ｄ−ＢＣＨ、及び、Ｄ−ＢＣＨの周波数スケジューリング情報を示すＰＤＣＣＨを、ＯＦＤＭ方式によって送信し続けている。ＢＣＨには周波数帯域情報が含まれており、この周波数帯域情報によって通信帯域が単位バンドごとに区切られる。よって、単位バンドは、ＢＣＨの中の周波数帯域情報によって区切られた帯域、又は、ＰＤＣＣＨが分散配置される場合の分散幅によって定義される帯域としても定義される。
【００４８】
図６において、基地局２００は、ＰＤＣＣＨ生成部２０５と、ＰＤＳＣＨ生成部２１０と、報知信号生成部２１５と、変調部２２０と、ＯＦＤＭ信号形成部２２５と、送信ＲＦ部２３０と、受信ＲＦ部２３５と、ＣＰ除去部２４０と、ＦＦＴ部２４５と、抽出部２５０と、ＲＡＣＨプリアンブル受信部２５５と、データ受信部２６０と、制御部２６５とを有する。ＣＰ除去部２４０と、ＦＦＴ部２４５と、抽出部２５０と、ＲＡＣＨプリアンブル受信部２５５と、データ受信部２６０とは、ＳＣ−ＦＤＭＡ信号復調手段を形成する。
【００４９】
ＰＤＣＣＨ生成部２０５は、制御部２６５から、端末１００への上り周波数割り当て情報を受け取り、当該上り周波数割り当て情報を含めたＰＤＣＣＨ信号を生成する。ＰＤＣＣＨ生成部２０５は、端末１００が送信してきたＲＡＣＨプリアンブル系列に応じたＣＲＣで上り周波数割り当て情報をマスキングした上で、ＰＤＣＣＨ信号に含める。生成されたＰＤＣＣＨ信号は、変調部２２０に出力される。ここで、ＲＡＣＨプリアンブル系列は十分な数が準備されており、端末はそれらのＲＡＣＨプリアンブル系列から任意の系列を選択して基地局にアクセスする。すなわち、基地局２００に対して同時に複数の端末が同一のＲＡＣＨプリアンブル系列を用いてアクセスしてくる可能性は非常に低いため、端末１００は当該ＲＡＣＨプリアンブル系列に対応したＣＲＣマスクがかかっているＰＤＣＣＨを受信することにより、自機宛の上り周波数割り当て情報を問題なく検出することができる。
【００５０】
ＰＤＳＣＨ生成部２１０は、制御部２６５から通信帯域移動指示を受け取り、当該通信帯域移動指示を含めたＰＤＳＣＨ信号を生成する。また、ＰＤＳＣＨ生成部２１０は、通信帯域移動指示の送信後には、送信データが入力される。そして、ＰＤＳＣＨ生成部２１０は、入力送信データを含めたＰＤＳＣＨ信号を生成する。ＰＤＳＣＨ生成部２１０にて生成されたＰＤＳＣＨ信号は、変調部２２０に入力される。
【００５１】
報知信号生成部２１５は、報知信号を生成して変調部２２０に出力する。この報知信号には、Ｐ−ＢＣＨ、Ｄ−ＢＣＨが含まれる。
【００５２】
変調部２２０は、入力信号を変調して変調信号を形成する。入力信号は、ＰＤＣＣＨ信号、ＰＤＳＣＨ信号、及び報知信号である。形成された変調信号は、ＯＦＤＭ信号形成部２２５に入力される。
【００５３】
ＯＦＤＭ信号形成部２２５は、変調信号及び同期信号（Ｐ−ＳＣＨ、Ｓ−ＳＣＨ）を入力とし、それぞれが所定のリソースにマッピングされたＯＦＤＭ信号を形成する。ＯＦＤＭ信号形成部２２５において、多重部２２６が変調信号及び同期信号を多重し、ＩＦＦＴ部２２７が多重信号をシリアルパラレル変換した後に逆高速フーリエ変換して時間波形を得る。この時間波形にＣＰ付加部２２８がＣＰを付加することにより、ＯＦＤＭ信号が得られる。
【００５４】
送信ＲＦ部２３０は、ＯＦＤＭ信号形成部２２５で形成されたＯＦＤＭ信号に対して送信無線処理を施し、アンテナを介して送信する。
【００５５】
受信ＲＦ部２３５は、アンテナを介して受信帯域で受信した受信無線信号に対して受信無線処理（ダウンコンバート、アナログディジタル（Ａ／Ｄ）変換など）を施し、得られた受信信号をＣＰ除去部２４０に出力する。
【００５６】
ＣＰ除去部２４０は、受信ＳＣ−ＦＤＭＡ信号からＣＰを除去し、ＦＦＴ部２４５がＣＰ除去後の受信ＳＣ−ＦＤＭＡ信号を周波数領域信号に変換する。
【００５７】
抽出部２５０は、ＦＦＴ部２４５から受け取る周波数領域信号のうち、ＲＡＣＨに対応するリソースにマッピングされた信号を抽出し、抽出信号をＲＡＣＨプリアンブル受信部２５５に出力する。このＲＡＣＨに対応するリソースにマッピングされた信号の抽出は、ＬＴＥ＋端末がいつ基地局２００に対してＲＡＣＨプリアンブルを送信してきてもよいように、常に行われている。
【００５８】
また、抽出部２５０は、制御部２６５から受け取る上り周波数割り当て情報に対応する信号を抽出し、抽出信号をデータ受信部２６０に出力する。この抽出信号には、端末１００がＰＵＳＣＨにて送信してくる端末能力情報等が含まれている。
【００５９】
ＲＡＣＨプリアンブル受信部２５５は、まず、抽出部２５０から受け取る抽出信号を時間軸上のシングルキャリア信号に変換する。すなわち、ＲＡＣＨプリアンブル受信部２５５には、逆離散フーリエ変換（ＩＤＦＴ）回路が含まれている。そして、ＲＡＣＨプリアンブル受信部２５５は、得られたシングルキャリア信号と、ＲＡＣＨプリアンブルパターンとの相関をとり、相関値が一定レベル以上であるときに、ＲＡＣＨプリアンブルを検出したと判断する。そして、ＲＡＣＨプリアンブル受信部２５５は、検出されたＲＡＣＨプリアンブルのパターン情報（例えば、ＲＡＣＨプリアンブルの系列番号）を含むＲＡＣＨ検出報告を制御部２６５に出力する。
【００６０】
データ受信部２６０は、抽出部２５０から受け取る抽出信号を時間軸上のシングルキャリア信号に変換し、得られたシングルキャリア信号に含まれる端末能力情報を制御部２６５に出力する。また、データ受信部２６０は、通信帯域移動指示の送信後には、得られたシングルキャリア信号を受信データとして上位レイヤに送出する。
【００６１】
制御部２６５は、ＲＡＣＨプリアンブル受信部２５５からＲＡＣＨ検出報告を受け取ると、検出ＲＡＣＨプリアンブルを送信してきた端末１００に対して、上り周波数を割り当てる。この割り当てられた上り周波数は、端末１００における端末能力情報の送信等に用いられる。そして、上り周波数割り当て情報は、ＰＤＣＣＨ生成部２０５に出力される。
【００６２】
また、制御部２６５は、データ受信部２６０から端末能力情報を受け取ると、端末能力情報に基づいてＬＴＥ＋端末の通信可能帯域幅を判断する。判断の結果、端末能力情報が示す通信可能帯域幅が単位バンドを複数収容できるときには、制御部２６５は、端末能力情報の送信元端末（ここでは、端末１００）に対して、初期アクセス単位バンドの他に当該初期アクセス単位バンドの隣接単位バンドを含む単位バンド群を割り当てると共に、当該単位バンド群全体における中心周波数への、送信元端末の通信帯域における中心周波数の移動を指示する通信帯域移動指示を形成して、ＰＤＳＣＨ生成部２１０に出力する。ただし、前述の通り、この通信帯域移動指示には、端末が備える受信ＲＦ部の中心周波数位置からの差分情報が含まれる。その差分情報は、３００ＫＨｚの整数倍の値を持つ。通信帯域移動指示は、ＰＤＳＣＨ生成部２１０にて通常の下りデータと同様に各端末向けにまとめられて変調部に入力される。
【００６３】
また、制御部２６５は、通信帯域移動指示を出した後は、端末１００に対する下りデータ通信を切断する。そして、制御部２６５は、端末１００から追加割り当て単位バンドで送信されたＲＡＣＨプリアンブルの検出報告をＲＡＣＨプリアンブル受信部２５５から受け取ると、端末１００に対して、上り周波数を割り当てる。この割り当てられた上り周波数は、端末１００における端末能力情報の送信等に用いられる。そして、上り周波数割り当て情報は、ＰＤＣＣＨ生成部２０５に出力される。
【００６４】
また、制御部２６５は、端末１００からＡｇｇｒｅｇａｔｉｏｎ通信開始要求を受け取ると、割り当て単位バンド群全体を用いた通信を開始する。
【００６５】
［端末１００及び基地局２００の動作］
図７は、端末１００と基地局２００との間の信号送受信を示すシーケンス図である。
【００６６】
ステップＳ１００１では、同期信号が送信され、この同期信号を用いたセルサーチ処理が行われる。すなわち、ステップＳ１００１では、制御部１４０の制御により受信ＲＦ部１０５の受信帯域が順次ずらされると共に、フレーム同期部１１５がＰ−ＳＣＨをサーチする。これにより初期同期が確立される。そして、フレーム同期部１１５がＰ−ＳＣＨの配置リソースと所定の関係を有するリソースに配置されたＳ−ＳＣＨをブラインド判定する。これにより、より精密な同期がとられると共に、Ｓ−ＳＣＨ系列と対応付けられたセルＩＤが得られる。
【００６７】
ステップＳ１００２乃至ステップＳ１００４では、報知信号及びコントロールチャネルが送信され、これらを用いて初期アクセス単位バンドにおけるＲＡＣＨプリアンブルの送信準備が行われる。
【００６８】
すなわち、ステップＳ１００２では、報知情報受信部１２５にて取得された、受信Ｄ−ＢＣＨ信号に含まれる情報（例えば、上りペアバンドの周波数及び周波数帯域、又は、ＰＲＡＣＨ(Physical Random Access Channel)等の情報）に基づいて、制御部１４０が、ＰＤＣＣＨの配置情報を特定する。そして、制御部１４０は、ＰＤＣＣＨの配置情報をＰＤＣＣＨ受信部１３０に出力し、その情報に応じた周波数位置に配置された信号の復号を指示する。
【００６９】
ステップＳ１００３では、制御部１４０からの復号指示に従ってＰＤＣＣＨ受信部１３０にてＤ−ＢＣＨの周波数位置情報が抽出される。
【００７０】
ステップＳ１００４では、Ｄ−ＢＣＨの周波数位置情報に基づいて、受信Ｄ−ＢＣＨ信号に含まれる情報（例えば、上りペアバンドの周波数及び周波数帯域、又は、ＰＲＡＣＨ(Physical Random Access Channel)等の情報）が報知情報受信部１２５にて抽出される。
【００７１】
ステップＳ１００５では、制御部１４０の制御によりＲＡＣＨプリアンブル部１４５が、ステップＳ１００２で得られた上り周波数帯及びＰＲＡＣＨの周波数位置によってＲＡＣＨプリアンブルを送信する。
【００７２】
ステップＳ１００６では、ＲＡＣＨプリアンブルを受信した基地局２００の制御部２６５が、ＲＡＣＨプリアンブルを送信してきた端末１００に対して上り周波数を割り当て、上り周波数割り当て情報をその端末１００に対して送信する。
【００７３】
ステップＳ１００７では、上り周波数割り当て情報を受信した端末１００の制御部１４０が、自機の端末能力情報をその上り周波数を利用して送信する。
【００７４】
この段階で基地局２００と端末１００との間で通信可能な状態となり、ステップＳ１００８で、基地局２００と端末１００との間のデータ通信が開始される。
【００７５】
ステップＳ１００９では、受信した端末能力情報の示す通信可能帯域幅が単位バンドを複数収容できるときには、基地局２００の制御部２６５が、端末能力情報の端末１００に対して、初期アクセス単位バンドの他に当該初期アクセス単位バンドの隣接単位バンドを含む単位バンド群を割り当てると共に、当該単位バンド群全体における中心周波数への、端末１００の通信帯域における中心周波数の移動を指示する通信帯域移動指示を送信する。
【００７６】
この通信帯域移動指示を受け取った端末１００は、ステップＳ１０１０で、まず、下りデータ通信を切断し、その後に、通信帯域移動指示に基づいて、通信帯域における中心周波数を、割り当て単位バンド群全体における中心周波数へ移動する。
【００７７】
図８は、端末１００によって実行される通信帯域移動の説明に供する図である。
【００７８】
図８の左図に示されるように、ステップＳ１００１〜ステップＳ１００９では、端末１００の通信帯域の中心周波数が、初期アクセス単位バンドである単位バンドＡにおけるＳＣＨの周波数位置に合っている。この状態では、図２を用いて説明したように、端末１００の能力が活かされていない。
【００７９】
これに対して、ステップＳ１０１０で端末１００の通信帯域の中心周波数が移動されることにより、図８の右図に示されるように、割り当て単位バンド群全体を端末１００の通信帯域内に収めることができる。なお、図８では各単位バンドの幅が等しいので、端末１００の通信帯域の中心周波数は、単位バンドＡと単位バンドＢとの境界周波数と一致している。
【００８０】
図７のフローに戻り、ステップＳ１０１１乃至ステップＳ１０１３では、報知信号及びコントロールチャネルが送信され、これらを用いて追加割り当て単位バンドにおけるＲＡＣＨプリアンブルの送信準備が行われる。
【００８１】
追加割り当て単位バンドにおけるＲＡＣＨプリアンブルの送信準備が完了すると、制御部１４０は、ステップＳ１０１４で端末１００と基地局２００との間の上り通信を切断し、ステップＳ１０１５で追加割り当て単位バンドにおけるＲＡＣＨプリアンブルを送信する。
【００８２】
ステップＳ１０１６では、ＲＡＣＨプリアンブルを受信した基地局２００の制御部２６５が、追加割り当て単位バンドにおいてＲＡＣＨプリアンブルを送信してきた端末１００に対して上り周波数を割り当て、上り周波数割り当て情報をその端末１００に対して送信する。
【００８３】
ステップＳ１０１７では、端末１００の制御部１４０が、ステップＳ１０１６で基地局２００から送信された上り周波数割り当て情報の示すリソースを用いて、Ａｇｇｒｅｇａｔｉｏｎ通信開始要求を送信する。
【００８４】
このＡｇｇｒｅｇａｔｉｏｎ通信開始要求を受け取ると、基地局２００の制御部２６５が、割り当て単位バンド群全体を用いた通信を開始する。
【００８５】
以上のように本実施の形態によれば、単一の通信に複数の単位バンドを割り当て可能な基地局２００において、データ受信部２６０が、初期アクセス単位バンドで端末１００が送信してきた端末能力情報を取得し、その端末能力情報が示す通信可能帯域幅が単位バンドを複数収容できるときに、端末１００に対して、初期アクセス単位バンドの他に当該初期アクセス単位バンドの隣接単位バンドを含む単位バンド群を割り当てると共に、当該単位バンド群における中心周波数への端末１００の通信帯域における中心周波数の移動を指示する通信帯域移動指示を、初期アクセス単位バンドを用いて端末１００に送信する。
【００８６】
こうすることで、割り当て単位バンド群全体を端末１００の通信帯域内に収めることができる。すなわち、端末１００に対する効率的なバンド割り当てを可能とする基地局２００が実現される。
【００８７】
なお、以上の説明においては、端末１００の受信帯域の基準周波数も、単位バンドの基準周波数（つまり、ＳＣＨの周波数位置）も、割り当て単位バンド群の基準周波数も、それぞれの中心周波数として説明した。しかしながら、本発明はこれに限定されるものではなく、他の周波数位置を基準周波数としてもよい。要は、端末１００の受信帯域の基準周波数を単位バンドの基準周波数に合わせれば、その単位バンド全体が端末１００の受信帯域に収まり、また、割り当て単位バンド群の基準周波数に合わせれば、割り当て単位バンド群全体が端末１００の受信帯域に収まるように、各基準周波数を定めればよい。
【００８８】
（実施の形態２）
実施の形態１では、端末が追加割り当て単位バンドにおいてＲＡＣＨプリアンブルを送信する際に、その追加割り当て単位バンドに対応する上りペアバンドにＲＦ周波数を切り替えなければならなかったため、通信システムにおいて通信の瞬断(つまり、上りデータも、下りデータに対するＡＣＫも送信できない状態)が発生していた。これに対して、実施の形態２では、通信の瞬断を発生させることなく、効率的なバンド割り当てを可能とする通信システムを実現する。以下、この通信システムを構成する端末及び基地局について説明する。
【００８９】
図９は、本発明の実施の形態２に係る端末３００の構成を示すブロック図である。図９において、端末３００は、制御部３１０を有する。
【００９０】
制御部３１０における、同期確立前から、初期アクセス単位バンドにおける基地局２００と端末１００とのデータ通信を行うまでの制御処理は、実施の形態１に係る端末１００の制御部１４０における制御処理と同様である。
【００９１】
制御部３１０は、後述する基地局４００により端末能力情報に応じて送信された通信帯域移動指示を取得し、当該通信帯域移動指示に基づいて、端末３００の通信帯域における中心周波数を、割り当て単位バンド群全体における中心周波数へ移動する。このとき、中心周波数の移動処理前に開始された初期アクセス単位バンドにおける基地局４００と端末３００とのデータ通信は、切断されない。
【００９２】
ここで、後述する基地局４００によって、通信帯域移動指示と共に、追加割り当て単位バンドにおいて送信されているＰ−ＢＣＨの内容（つまり、ＭＩＢ（Master Information Block）の内容）のすべてが送信される。ＭＩＢには、具体的には、ＰＤＣＣＨの周波数軸方向への広がり（下り周波数帯域幅）、移動先のバンドにおける基地局のアンテナ数すなわちＲｅｆｅｒｅｎｃｅ  Ｓｉｇｎａｌを送信するアンテナ数、ＰＤＣＣＨ以外（例えば上りデータ信号に対する応答信号）に用いられるＯＦＤＭリソースの数が含まれる。さらに、基地局４００によって、通信帯域移動指示と共に、追加割り当て単位バンドにおける、ＳＣＨの位置及びＮｕｌｌ  Ｃａｒｒｉｅｒの位置に関する情報も送信される。
【００９３】
従って、制御部３１０は、取得したＭＩＢに基づいて、追加割り当て単位バンドにおけるコントロールチャネル及びＬＴＥ動的報知信号を取得する。ここで、実施の形態１に係る端末１００では、追加割り当て単位バンドにおいてＲＡＣＨプリアンブル送信等が行われているが、端末３００ではそれらの処理は行われない。
【００９４】
制御部３１０は、追加割り当て単位バンドにおけるコントロールチャネル及びＤ−ＢＣＨ（つまり、ＳＩＢ（System Information Block））を取得すると、初期アクセス単位バンドの上りペアバンドを用いて、ＳＩＢの読み取り完了報告を基地局４００に送信する。このＳＩＢの読み取り完了報告は、Ａｇｇｒｅｇａｔｉｏｎ通信開始要求として用いられる。
【００９５】
図１０は、本発明の実施の形態２に係る基地局４００の構成を示すブロック図である。
【００９６】
図１０において、基地局４００は、制御部４１０を有する。
【００９７】
制御部４１０は、端末能力情報が示す通信可能帯域幅が単位バンドを複数収容できるときには、端末能力情報の送信元端末（ここでは、端末３００）に対して、初期アクセス単位バンドの他に当該初期アクセス単位バンドの隣接単位バンドを含む単位バンド群を割り当てると共に、当該単位バンド群全体における中心周波数への、送信元端末の通信帯域における中心周波数の移動を指示する通信帯域移動指示を形成して、ＰＤＳＣＨ生成部２１０に出力する。また、制御部４１０は、通信帯域移動指示と共に、ＭＩＢの内容、並びに、追加割り当て単位バンドにおける、ＳＣＨの位置及びＮｕｌｌ  Ｃａｒｒｉｅｒの位置に関する情報も、ＰＤＳＣＨ生成部２１０に出力する。
【００９８】
図１１は、端末３００と基地局４００との間の信号送受信を示すシーケンス図である。
【００９９】
図１１のシーケンス図と、図７のシーケンスとでは、ステップＳ１００１〜ステップＳ１００８が一致する。
【０１００】
ステップＳ２００１では、受信した端末能力情報の示す通信可能帯域幅が単位バンドを複数収容できるときには、基地局４００の制御部４１０が、端末能力情報の端末３００に対して、初期アクセス単位バンドの他に当該初期アクセス単位バンドの隣接単位バンドを含む単位バンド群を割り当てると共に、当該単位バンド群全体における中心周波数への、端末３００の通信帯域における中心周波数の移動を指示する通信帯域移動指示を送信する。さらに、制御部４１０は、通信帯域移動指示と共に、ＭＩＢの内容、並びに、追加割り当て単位バンドにおける、ＳＣＨの位置及びＮｕｌｌ  Ｃａｒｒｉｅｒの位置に関する情報も送信する。
【０１０１】
通信帯域移動指示を受け取った端末３００は、その通信帯域移動指示に基づいて、通信帯域における中心周波数を、割り当て単位バンド群全体における中心周波数へ移動する。このとき、中心周波数の移動処理前に開始された初期アクセス単位バンドにおける基地局２００と端末１００とのデータ通信は、切断されない。すなわち、初期アクセス単位バンドでの下りデータ信号の受信は、通信帯域移動指示に基づく移動処理の開始前に開始され、移動処理の期間及び当該期間の終了後も継続される。
【０１０２】
その後、端末３００の制御部３１０は、ＭＩＢに基づいて、追加割り当て単位バンドにおけるコントロールチャネル及びＤ−ＢＣＨ（つまり、ＳＩＢ（System Information Block））を取得すると、初期アクセス単位バンドの上りペアバンドを用いて、Ａｇｇｒｅｇａｔｉｏｎ通信開始要求を基地局４００に送信する（ステップＳ２００２）。
【０１０３】
以上のように本実施の形態によれば、端末３００が、初期アクセス単位バンドでのデータ信号の受信を、通信帯域移動指示に基づく移動処理が開始される前に開始し、移動処理の期間及び当該期間の終了後も継続する。すなわち、初期アクセス単位バンドでの通信に瞬断を発生させない。
【０１０４】
また、本実施の形態によれば、基地局４００において、制御部４１０が、追加割り当て単位バンドで送信されるコントロールチャネルの特定に用いられる情報を、通信帯域移動指示と共に初期アクセス単位バンドで送信する。
【０１０５】
こうすることで、端末３００が追加割り当て単位バンドでＰ−ＢＣＨを受信する必要がないので、実施の形態１の場合に比べて、Ａｇｇｒｅｇａｔｉｏｎ通信の開始を早めることができる。
【０１０６】
なお、以上の説明においては、端末３００の受信帯域の基準周波数も、単位バンドの基準周波数（つまり、ＳＣＨの周波数位置）も、割り当て単位バンド群の基準周波数も、それぞれの中心周波数として説明した。しかしながら、本発明はこれに限定されるものではなく、他の周波数位置を基準周波数としてもよい。要は、端末３００の受信帯域の基準周波数を単位バンドの基準周波数に合わせれば、その単位バンド全体が端末３００の受信帯域に収まり、また、割り当て単位バンド群の基準周波数に合わせれば、割り当て単位バンド群全体が端末３００の受信帯域に収まるように、各基準周波数を定めればよい。
【０１０７】
また、以上の説明では、基地局４００が端末３００に対し追加割り当て単位バンドのＭＩＢの情報を通知するとした。しかしながら、これに限定されるものではなく、基地局４００が初期アクセス単位バンドのＭＩＢと追加割り当て単位バンドのＭＩＢとの差分のみを通知するようにしてもよい。こうすることで、シグナリング量を削減することができる。
【０１０８】
また、以上の説明では、ＭＩＢの情報が通信帯域移動指示と共に送信されるものとした。しかしながら、これに限定されるものではなく、各単位バンドのＤ−ＢＣＨ等を用いて全端末にブロードキャストしてもよい。こうすることで、端末３００は、ステップＳ１００４の段階で、追加割り当て単位バンドのＭＩＢの情報を取得することができる。
【０１０９】
また、Ａｇｇｒｅｇａｔｉｏｎ通信開始要求は、必ずしも、初期アクセス単位バンドにおけるＰＵＳＣＨで送信されなくてもよい。Ａｇｇｒｅｇａｔｉｏｎ通信開始要求は、例えば、初期アクセス単位バンドにおける、或る特定のＲＡＣＨプリアンブルによって、基地局４００に送信されてもよい。
【０１１０】
（他の実施の形態）
（１）ここでは、スケジューリング等の基本単位として用いられるリソースブロック（ＲＢ）のインデックス付けについて説明する。
【０１１１】
実施の形態２において、端末３００は、基地局４００から、通信帯域移動指示、ＳＣＨの位置、Ｎｕｌｌ  Ｃａｒｒｉｅｒの位置、及び、各単位バンドにおけるＭＩＢの内容を受け取る。
【０１１２】
ここで、上述したように、端末３００の通信帯域の中心周波数は、各単位バンドの中心付近に配置されたＳＣＨ以外の位置に移される。すなわり、ＳＣＨが配置された周波数帯の中心以外にも、Ｎｕｌｌ  Ｃａｒｒｉｅｒが存在することになる。
【０１１３】
各ＲＢは、Ｎｕｌｌ  Ｃａｒｒｉｅｒを除く、一定数のキャリアで構成される。そのため、端末３００は、基地局４００から取得した情報を用いてＲＢを再規定する必要がある。
【０１１４】
そこで、端末３００は、まず、ある単位バンドにおけるＳＣＨの位置及びＭＩＢの内容から読み取れるシステムの周波数帯域幅により、その単位バンドにおけるＰＤＣＣＨの広がりを仮計算する。
【０１１５】
次に、端末３００は、その単位バンドにおいてＳＣＨの中心以外にＮｕｌｌ  Ｃａｒｒｉｅｒが存在するかどうかを確認する。その結果、ＳＣＨの中心以外にＮｕｌｌ  Ｃａｒｒｉｅｒが存在する場合には、端末３００は、そのＮｕｌｌ  Ｃａｒｒｉｅｒも他のＮｕｌｌ  Ｃａｒｒｉｅｒと同様に飛ばした１２個のサブキャリアを用いてＲＢを形成する。
【０１１６】
図１２は、ＲＢ形成の説明に供する図である。図１２におけるＮＣ１は、ＳＣＨの中心以外に存在するＮｕｌｌ  Ｃａｒｒｉｅｒである。図１２に示されるように、ＳＣＨの中心以外に存在するＮｕｌｌ  Ｃａｒｒｉｅｒも他のＮｕｌｌ  Ｃａｒｒｉｅｒと同様に、ＲＢの構成サブキャリアから除かれた上で、ＲＢが形成されている。
【０１１７】
ここで、ＰＤＣＣＨの広がりは、ＲＢ単位で設定される。そして、ＰＤＣＣＨに含まれるＲＢ数は、システムの周波数帯域幅と１対１に対応する。
【０１１８】
そのため、端末３００は、仮計算していたＰＤＣＣＨの広がり(ＲＢ単位)を、ＳＣＨの中心以外に存在するＮｕｌｌ  Ｃａｒｒｉｅｒを考慮に入れて再度計算し直し、最終的なＰＤＣＣＨが配置される周波数帯域を決定する。
【０１１９】
（２）実施の形態１及び実施の形態２では、本発明をハードウェアで構成する場合を例にとって説明したが、本発明はソフトウェアで実現することも可能である。
【０１２０】
また、実施の形態１及び実施の形態２の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２３】
２００８年８月４日出願の特願２００８−２０１００６の日本出願に含まれる明細書、図面および要約書の開示内容は、すべて本願に援用される。
【産業上の利用可能性】
【０１２４】
本発明は、効率的なバンド割り当てを可能とするものとして有用である。
【図１】
2014168314.tif 000003
【図２】
2014168314.tif 000004
【図３】
2014168314.tif 000005
【図４】
2014168314.tif 000006
【図５】
2014168314.tif 000007
【図６】
2014168314.tif 000008
【図７】
2014168314.tif 000009
【図８】
2014168314.tif 000010
【図９】
2014168314.tif 000011
【図１０】
2014168314.tif 000012
【図１１】
2014168314.tif 000013
【図１２】
2014168314.tif 000014